(57)【要約】【解決手段】  各処理設備Ｍ１〜Ｍｎには、それぞれＲＦＩＤ８１〜８ｎが貼り付けられており、ＲＦＩＤ８１〜８ｎの通信可能範囲（操作範囲Ａ１〜Ａｎ）は約１メートルに設定されている。携帯端末装置４、５の操作者が処理設備Ｍ１の操作範囲Ａ１に位置すると、該ＲＦＩＤ８１から設備情報が携帯端末装置４、５に自動的に読み込まれる。  携帯端末装置４を所持した操作者が処理設備Ｍ１の操作範囲Ａ１内に位置して処理設備Ｍ１の運転を行っている際に、処理設備Ｍ１の操作範囲Ａ１内に他の携帯端末装置５を所持した操作者が入り込んでも、後から操作範囲Ａ１内に入り込んできた操作者は携帯端末装置５によって処理設備Ｍ１の運転ができないようになっている。【効果】  各操作者の安全を確保して各処理設備を円滑に操作することができる。  【選択図】  図２
2007156645.tif 000002
【特許請求の範囲】
【請求項１】
相互に離隔して配置されて所要の処理を行う複数の処理設備と、無線通信手段を介して各処理設備と通信可能な少なくとも１台の携帯端末装置とを備え、上記携帯端末装置によって各処理設備を操作できるようにした設備操作システムにおいて、
隣り合う処理設備における上記携帯端末装置による操作可能となる操作範囲を相互に重複しないように設定して、隣り合う処理設備における一方だけに対して上記携帯端末装置による処理設備の操作が可能となるように構成し、
さらに、各処理設備の操作範囲内に上記携帯端末装置が位置すると、該操作範囲内の処理設備を上記携帯端末装置によって自動的に操作可能となることを特徴とする設備操作システム。
【請求項２】
上記各処理設備にＲＦＩＤを設けて、各処理設備のＲＦＩＤとの通信可能な範囲を上記携帯端末装置による操作範囲としたことを特徴とする請求項１に記載の設備操作システム。
【請求項３】
１つの処理設備の操作範囲内において１台の携帯端末装置のみにより操作が可能であることを特徴とする請求項１又は請求項２に記載の設備操作システム。
【請求項４】
上記携帯端末装置によって各処理設備を操作する各操作者は、各処理設備を操作する際の操作能力に応じて予めランク付けされており、各操作者が携帯端末装置を介して各処理設備を操作する際には、上記ランクに応じた操作が行われることを特徴とする請求項１から請求項３のいずれか１つに記載の設備操作システム。
【請求項５】
上記ランク下位の操作者が携帯端末装置を介して特定の処理設備の操作をしている際に、該操作中の処理設備における操作範囲内にランク上位の操作者が携帯端末装置を所持して進入した場合には、下位の操作者による処理設備の操作は阻止されて、進入してきた上位の操作者により当該処理設備の操作が可能となること特徴とする請求項４に記載の設備操作システム。
【請求項６】
上記ＲＦＩＤには各処理設備を特定する情報が予め記憶されており、上記携帯端末装置により該処理設備を特定する設備特定情報を読み取ることにより、当該処理設備の操作が可能となることを特徴とする請求項２から請求項５のいずれか１つに記載の設備操作システム。
【発明の詳細な説明】
【技術分野】
【０００１】
本発明は設備操作システムに関し、より詳しくは、異なる処理を行う複数の処理設備とそれらを操作する携帯端末装置とを備えた設備操作システムに関する。
【背景技術】
【０００２】
従来から複数の処理設備に対して携帯端末装置を用いて現場の操作者が各処理設備の操作を行うようにした設備操作システムが提案されている（例えば特許文献１）。
この特許文献１のシステムにおいては、各処理設備に各設備を特定するためのバーコードを付してあり、現場の操作者が特定の処理設備を操作しようとする場合には、該処理設備に付したバーコードを携帯端末装置によって読み取るようにしている。それにより、携帯端末装置で操作する処理設備を特定し、該特定した処理設備に関する制御情報は無線通信によって携帯端末装置に伝達されるようになっている。
【特許文献１】特開２００４−２３４２２９号公報
【発明の開示】
【発明が解決しようとする課題】
【０００３】
ところで、従来では、複数の処理設備を備えた大きな生産ラインにおいては、複数の操作者によって各処理設備を操作するようにしているが、上述した特許文献１のように携帯端末装置が１台だけしかない場合には、異なる処理設備を同時に複数の操作者によって操作しようとしても、それができない。
そこで、このような場合には、携帯端末装置を複数配備し、所要の場合には異なる操作者がそれぞれ携帯端末装置を所持して処理設備を操作するようにすれば良い。
しかしながら、このように複数の携帯端末装置を設けて、各操作者が所持する携帯端末装置により各処理設備を操作する場合には、特定の処理設備に対して１人の操作者が調整作業を行っている時に他の操作者が同じ設備に対して運転を行わせる虞があり、極めて危険である。
【課題を解決するための手段】
【０００４】
上述した事情に鑑み、本発明は、相互に離隔して配置されて所要の処理を行う複数の処理設備と、無線通信手段を介して各処理設備と通信可能な少なくとも１台の携帯端末装置とを備え、上記携帯端末装置によって各処理設備を操作できるようにした設備操作システムにおいて、
隣り合う処理設備における上記携帯端末装置による操作可能となる操作範囲を相互に重複しないように設定して、隣り合う処理設備における一方だけに対して上記携帯端末装置による処理設備の操作が可能となるように構成し、さらに、各処理設備の操作範囲内に上記携帯端末装置が位置すると、該操作範囲内の処理設備を上記携帯端末装置によって自動的に操作可能となるようにしたものである。
【発明の効果】
【０００５】
上述した構成によれば、複数の操作者を配置して各処理設備を操作するにあたって、１つの処理設備に対して複数台の携帯端末装置によって同時に操作することはできない。したがって、各操作者の安全を確保して各処理設備を円滑に操作することができる。
【発明を実施するための最良の形態】
【０００６】
以下図示実施例について本発明を説明すると、図１ないし図２において、１は本実施例の設備操作システムを示したものであり、この設備操作システム１は容器処理ライン２に設けた各処理設備Ｍ１〜Ｍｎを操作するためのシステムである。
容器処理ライン２は、容器に対してそれぞれ異なる処理を施す複数の処理設備Ｍ１〜Ｍｎと、相前後する処理設備の間にそれぞれ配置されて下流側となる次工程の処理設備へ容器を搬送する搬送コンベヤ３と、複数の携帯端末装置４、５を用いて各処理設備Ｍ１〜Ｍｎを操作する設備操作システム１とから構成されている。
【０００７】
図示しない容器が容器処理ライン２の第１の処理設備Ｍ１に供給されると、該処理設備Ｍ１によって容器に対して所要の第１処理（容器の洗浄）が施されるようになっている。
この後、第１の処理設備Ｍ１による処理が終わった容器は搬送コンベヤ３によって下流側に配置した次工程となる第２の処理設備Ｍ２へ移送される。そして、この第２の処理設備Ｍ２によって容器に対して所要の第２処理（容器への充填液の充填およびキャッピング）が施されるようになっている。この後、処理設備Ｍ２による第２処理を終えた容器は搬送コンベヤ３によって下流側に設けた次工程となる第３の処理設備Ｍ３へ移送され、該第３の処理設備Ｍ３によって所要の第３処理（容器へのラベリング）が行われるようになっている。
このようにして、容器処理ライン２は、各搬送コンベヤ３によって下流側へ容器を搬送しながら各処理設備Ｍ１〜Ｍｎによって容器に対して順次所要の処理を施すようになっている。
【０００８】
ところで、上述したように容器処理ライン２を稼動させるにあたって、上記各処理設備Ｍ１〜Ｍｎに対して現場の操作者による運転、調整、点検、修理等の操作が必要であり、そのために設備操作システム１を設けている。
本実施例の設備操作システム１は、操作対象となる上記各処理設備Ｍ１〜Ｍｎ毎に配置された制御手段Ｃ１〜Ｃｎと、これら各制御手段Ｃ１〜Ｃｎによって制御される各処理設備Ｍ１〜Ｍｎの管理データ等を記憶する管理システム６と、各制御手段Ｃ１〜Ｃｎを操作するために設けられた複数の携帯端末装置４，５を備え、上記管理システム６と各制御手段Ｃ１〜Ｃｎおよび各携帯端末装置４、５とは相互に通信可能となっており、無線ＬＡＮを構成している。また、各処理設備Ｍ１〜Ｍｎにはそれぞれ処理設備を特定する情報が記憶されたＲＦＩＤ８１〜８ｎが貼り付けられている。
【０００９】
図３に示すように、処理設備Ｍ１の制御手段Ｃ１は、制御部１１Ａと記憶部１１Ｂを有するＰＬＣ１１（プログラマブルコントローラ）を備えるとともに、タッチパネル１２Ａや非常停止、起動および停止の各操作ボタン１２Ｂを有する操作盤１２を備えている。また、処理設備Ｍ１の制御手段Ｃ１は、各携帯端末装置４，５および管理システム６と通信可能なＬＡＮ通信部１３を備えている。
上記ＰＬＣ１１の制御部１１Ａは、処理設備Ｍ１の作動を制御するものであり、記憶部１１Ｂは、ＬＡＮ通信部１３を介して制御部１１Ａがいずれかの携帯端末装置と接続中であるかどうかの情報と接続している携帯端末装置を所持している操作者の操作能力のランク等を記憶するようになっている。
操作盤１２のタッチパネル１２Ａは、処理設備を操作するうえで必要な情報を切換えて表示したり、各操作内容を表示したりする表示手段であるとともに、各表示画面内に画面操作や処理設備の操作などを入力する範囲が設けられた操作入力手段となっている。また、３種類の操作ボタン１２Ｂを操作者が直接押すことで処理設備Ｍ１の非常停止、起動および停止を行わせることができる。なお、本実施例においては、後述するように、携帯端末装置４、５はタッチパネル１６を有しているので、処理設備Ｍ１の制御手段Ｃ１のタッチパネル１２Ａは省略しても良い。
【００１０】
ＲＦＩＤ８１は、携帯端末装置４，５との通信可能距離が約１メートルとなっており、処理設備Ｍ１における所要位置に１箇所貼りつけられている。ＲＦＩＤ８１には、それを貼り付けた処理設備Ｍ１を特定するための設備特定情報が予め記憶されている。携帯端末装置４、５を所持する操作者が処理設備Ｍ１のＲＦＩＤ８１から１メートル以内の操作範囲Ａ１内に入ることで、携帯端末装置４，５の設備認識部１５がＲＦＩＤ８１から設備特定情報を受信できるようになっている。これにより、携帯端末装置４、５を処理設備Ｍ１に対して接触させることなく、各携帯端末装置４，５により操作しようとする処理設備が該処理設備Ｍ１であることを特定できるようになっている。なお、処理設備Ｍ１が大型である場合には、同じ設備情報を記憶させた複数のＲＦＩＤ８１を処理設備Ｍ１の複数箇所に分散させて貼り付けるようにしても良い。
また、図２に示すように隣り合う各処理設備Ｍ１〜Ｍｎの操作範囲Ａ１〜Ａｎは相互に離隔させている。つまり、隣り合う各処理設備の操作範囲が重複しないように設定することにより、携帯端末装置４，５が操作できる処理設備は１台のみとなるようにしている。
【００１１】
次に、上述したように処理設備Ｍ１の制御手段Ｃ１に設けたＬＡＮ通信部１３は、無線ＬＡＮ７を介して携帯端末装置４，５および管理システム６と通信可能となっている。この無線ＬＡＮ７の通信可能な範囲は数十メートルにも及ぶものであり、したがって、管理システム６と各処理設備Ｍ１〜Ｍｎの制御手段Ｃ１〜Ｃｎおよび各携帯端末装置４，５は常に無線ＬＡＮ７を介して相互に通信可能となっている。
上記処理設備Ｍ１の制御手段Ｃ１は上述した構成を備えており、この他の処理設備Ｍ２〜Ｍｎの制御手段Ｃ２〜Ｃｎも上記処理設備Ｍ１の制御手段Ｃ１と同様の構成を備えている。
【００１２】
次に、管理システム６は、無線ＬＡＮ７を介して上記各処理設備Ｍ１〜Ｍｎの制御手段Ｃ１〜Ｃｎと常時交信して、各処理設備Ｍ１〜Ｍｎによる生産履歴やアラーム履歴、消耗部品管理などのために容器処理ライン２の稼動情報などを一括で管理するようになっている。
本実施例においては、操作者が処理設備Ｍ１〜ＭｎのＲＦＩＤ８１〜８ｎに設定された操作範囲Ａ１〜Ａｎ内に入ることで、該操作者が所持する携帯端末装置４（５）によって操作対象となる処理設備を特定し、該特定した処理設備に対して携帯端末装置４（５）により操作者の操作能力に応じた操作を可能にしている。
本実施例の容器処理ライン２には、各処理設備Ｍ１〜Ｍｎを操作するために２名の操作者を配置してあり、この操作者の数に合わせて２台の携帯端末装置４、５を配備している。そして、各操作者が１台の携帯端末装置４（５）を携帯して容器処理ライン２内の処理設備Ｍ１〜Ｍｎに近づいてそれらを操作するようになっている。なお、操作者が処理設備Ｍ１〜Ｍｎの操作を行わない場合には、各携帯端末装置４，５は、容器処理ライン２内の所定場所に保管するようにしてもよい。
【００１３】
ところで、本実施例においては、容器処理ライン２に２名の操作者を配置して、各自に携帯端末装置４，５を所持させるにあたって、予め各操作者を各処理設備Ｍ１〜Ｍｎを操作する際の操作能力に応じてランク付けしている。
すなわち、図４は、容器処理ライン２は処理設備Ｍ１〜Ｍ１０から構成され、配置される可能性のある操作者Ａ〜Ｅは５名である場合を例示している。ここでは各操作者を処理設備ごとに操作能力に応じて１〜３の三段階にランク付けしている。このランク付けにおいて、ランク『１』の操作者は処理設備の監視のみを行うことができ、処理設備に対して起動や停止といった操作を行うことはできない。また、ランク『２』の操作者は処理設備の監視と処理設備の起動や停止などの簡易な運転操作を行うことができる。また、ランク『３』の操作者は、監視と運転だけでなく処理設備の調整やパラメータの変更など全ての操作を行うことができる。つまり、ランク『２』の操作者はランク『１』の操作者よりも上位の操作能力を有し、また、ランク『３』の操作者はランク『２』の操作者よりも上位の操作能力を有している。
換言すると、各操作者は、各処理設備Ｍ１〜Ｍｎに対して予め定めたランクに応じた操作を行うことができるようになっている。つまり、操作能力の低い操作者は監視しか行えず、高度な能力を必要とする調整などを行うことができない。そのようにすることで、設備操作システム１および容器処理ライン２全体の作業効率を向上させることができる。
【００１４】
また、後に詳述するが、本実施例においては、仮に１台の処理設備Ｍ１に対して同時に複数の操作者が操作しようとした場合には、上位の操作能力を有する操作者が下位の操作能力を有する操作者よりも優先して当該操作対象となる処理設備Ｍ１を操作できるようにしている。例えば、最初にランク『２』の操作者Ａが処理設備Ｍ１の操作を行っている時に、ランク『３』の操作者Ｄが処理設備Ｍ１における操作範囲Ａ１内に入って来た場合には、該操作者Ｄだけが処理設備Ｍ１の操作を行うことができ、最初の操作者Ａは処理設備Ｍ１の操作ができなくなり、単にランク『１』と同じ監視だけになるようにしている。
また、最初に処理設備Ｍ１の操作を行っている操作者が存在し、後で処理設備Ｍ１を操作するために第２の操作者が処理設備Ｍ１の操作範囲Ａ１内に入ってきた場合において、二人の操作者の操作能力のランクが同じ場合には、後から操作範囲Ａ１内に入ってきた操作者は、処理設備Ｍ１を操作できず、単に監視だけができるように設定している。つまり、処理設備Ｍ１の操作範囲Ａ１内に操作能力が同位の複数の操作者が同時に存在する場合には、最初に処理設備Ｍ１の操作を行っていた操作者が優先して処理設備Ｍ１の操作を行うように設定されている。
【００１５】
なお、図４に示したように、各操作者Ａ〜Ｅは、操作対象となる各処理設備Ｍ１〜Ｍ１０ごとに異なる操作能力を備えている。例えば、操作者Ａ，Ｂは、処理設備Ｍ１〜Ｍ５に対しては運転を行うことができるが、処理設備Ｍ６〜Ｍ１０に対しては運転だけでなく調整も行うことができる。他方、操作者Ｃ，Ｄは、処理設備Ｍ６〜Ｍ１０に対しては運転だけを行うことができ、処理設備Ｍ１〜Ｍ５に対しては運転だけでなく調整を行うことができる。
本実施例においては、容器処理ライン２に配置する操作者の登録と各操作者についてのランク付けを管理システム６にて行うになっており、各携帯端末装置は使用開始時などに管理システム６から各操作者の処理設備ごとの操作能力のデータを取得し、記憶部１８に記憶している。
【００１６】
次に、図３に示すように、携帯端末装置４は、表示と操作入力用とを兼ねたタッチパネル１６と、上記各処理設備Ｍ１〜Ｍｎの制御手段Ｃ１〜Ｃｎと無線ＬＡＮ７を介して通信可能なＬＡＮ通信部１７と、上記タッチパネル１６に表示する各画面や各操作者のデータを記憶する記憶部１８とを備えている。また、携帯端末装置４は、各処理設備Ｍ１〜ＭｎのＲＦＩＤ８１〜８ｎの情報を読み取る設備認識部１５を備えるとともに、操作者を認証する操作者認証部２１を備えている。
タッチパネル１６は、表示画面内に操作対象となる各処理設備Ｍ１〜Ｍｎの制御手段Ｃ１〜Ｃｎから無線ＬＡＮ７を介して伝達される各処理設備Ｍ１〜Ｍｎの稼動状況を表示するとともに、操作者が携帯端末装置４により各制御手段Ｃ１〜Ｃｎを操作したり、表示画面を切換えたりするための操作入力部を表示するようになっている。この操作入力部を指やペン等により押圧することにより入力を感知するようになっている。
【００１７】
ＬＡＮ通信部１７は、上述したように管理システム６および各処理設備Ｍ１〜Ｍｎの制御手段Ｃ１〜Ｃｎと無線ＬＡＮ７を介して常時相互に通信することができる。
記憶部１８は、上述したように予め各操作者の操作能力のランクと操作可能な処理設備について記憶するとともに、タッチパネル１６に表示すべき各種の表示画面も予め登録されている。より詳細には、各処理設備Ｍ１〜Ｍｎの制御手段Ｃ１〜Ｃｎを操作する際の各操作内容に応じた表示画面が予め記憶部１８に登録されている。
【００１８】
また、各処理設備Ｍ１〜Ｍｎの監視画面も予め記憶部１８に登録されている。携帯端末装置４（５）を所持する各操作者が容器処理ライン２内に位置していれば、各操作者は各携帯端末装置４，５によって無線ＬＡＮ７を介して各処理設備Ｍ１〜Ｍｎの監視画面を表示して見ることができる。なお、携帯端末装置４、５の操作画面や監視画面をタッチパネル１６に表示する際には、その対象となる特定の処理設備（例えばＭ１）の名称を表示するようになっている。
設備認識部１５は、ＲＦＩＤ８１〜８ｎに記憶されている情報を読み取り可能な読取部を備え、所定時間間隔でＲＦＩＤ８１〜８ｎから設備情報を読み取るようになっており、上述したように各処理設備Ｍ１〜Ｍｎに設けたＲＦＩＤ８１〜８ｎとの通信可能な操作範囲Ａ１〜Ａｎ内（約１メートルの範囲内）に携帯端末装置４（５）を所持した操作者が入り込むと、自動的に各設備情報を受信するようになっている。そして、受信した設備情報と予め登録されている操作可能な処理設備の情報とを照合することによって操作可能な処理設備であるかを認識する。そして、この設備認識部１５で読み取って特定した処理設備を操作対象設備として認識することにより、携帯端末装置４により操作を行うことができるようになっている。また、携帯端末装置４（５）を所持した操作者が、操作範囲Ａ１〜Ａｎの外に移動すると、ＲＦＩＤ８１〜８ｎから設備情報を受信できなくなり、処理設備に近寄ることを促す画面が表示される。つまり、原則として、処理設備Ｍ１の操作範囲Ａ１外に位置する携帯端末装置によっては処理設備の操作はできないようになっている。
【００１９】
次に、操作者認証部２１は、各携帯端末装置４，５を使用する各操作者を認証するようになっている。本実施例では予め操作者認証部２１に操作者の生体識別データ（指紋、声紋）やパスワードを登録している。そのため、操作者の指紋や声紋などの生体識別データを操作者認証部２１に読み取らせてからパスワードを操作者認証部２１に入力することにより、この携帯端末装置を使用する権限を有する操作者であるか否かを認証できるようになっている。
なお、操作者に関するデータ量が多い場合には、それらのデータを上記管理システム６に登録保存しておき、上記操作者認証部２１で認証する際に無線ＬＡＮ７を介して各操作者に関するデータを管理システム６から読み出すようにしても良い。
各携帯端末装置４，５の構成は同じ構成となっており、上述したように本実施例においては、２名の操作者が各１台の携帯端末装置を所持して容器処理ライン２の処理設備Ｍ１〜Ｍｎを操作するようになっている。
【００２０】
本実施例の設備操作システム１は以上のように構成してあり、以下、図１、図２および図５をもとにして設備操作システム１の作動を説明する。
すなわち、容器処理ライン２内において携帯端末装置４を所持する操作者Ａが処理設備Ｍ１を操作する場合には、先ず操作者Ａが携帯端末装置４のスイッチを入れる。これにより、携帯端末装置４のタッチパネル１６に初期認証画面が表示される（図５のスタート、図６参照）。
図６に示した初期認証画面が携帯端末装置４のタッチパネル１６に表示されたら、該携帯端末装置４を所持する操作者Ａは操作者認証部２１に指紋を読み込ませる。すると、操作者認証部２１は、予め登録されている複数の操作者に関するデータと照合して、読み込まれた指紋と登録されている操作者Ａの指紋が一致すれば、この携帯端末装置４の操作者がＡであると認証する（図５のＳ１）。操作者Ａはこのようにしてログイン操作を行う。
なお、操作者認証部２１に登録されているデータと読み込んだ指紋データとの照合の結果、読み込んだ指紋が予め登録されている指紋にない場合には、図７に示すようにログインできない旨をタッチパネル１６に表示する。
【００２１】
このように携帯端末装置４のログイン操作を終えると、該携帯端末装置４は設備認識操作を開始する。また、携帯端末装置４は、所定時間間隔でＲＦＩＤ８〜８ｎへ読取用電波を発信する（図５のＳ２および図８参照）。
ＲＦＩＤ８１〜８ｎからの応答電波が到達する各操作範囲Ａ１〜Ａｎは約１メートルであり、この操作範囲Ａ１〜Ａｎ外に携帯端末装置４が位置している場合には、携帯端末装置４ではＲＦＩＤ８１〜８ｎからの電波を受信できない。この場合には、携帯端末装置４のタッチパネル１６に処理設備にさらに近づくように指示内容が表示される（図２、図５のＳ３、図９参照）。
【００２２】
この後、携帯端末装置４を所持した操作者Ａが操作したい処理設備Ｍ１に近づいて操作範囲Ａ１内に入り込むと、ＲＦＩＤ８１〜８ｎからの応答電波を携帯端末装置４の設備認識部１５が受信して設備情報を読み取る。
これにより、携帯端末装置４は、処理設備Ｍ１がこの携帯端末装置４によって操作可能な処理設備であるかを予め登録されている処理設備に関するデータと照合して確認する。そして、処理設備Ｍ１が予め登録されている処理設備と一致すれば、この携帯端末装置４により操作しようとする設備が処理設備Ｍ１であると認識する（図５のＳ３）。また、携帯端末装置４が処理設備Ｍ１を認識すると、携帯端末装置４は処理設備Ｍ１から処理設備Ｍ１は現在、他の携帯端末装置と接続しているかどうかのデータを取得する（図５のＳ４）。そして、取得したデータが、処理設備Ｍ１が他の携帯端末装置と接続中でない「無」を示すデータであれば（図５のＳ５）、携帯端末装置４は処理設備Ｍ１へ当該処理設備Ｍ１が携帯端末装置４と接続した「有」を示すデータと操作者Ａに関する操作能力のデータ（ランク２）とを送信し、それらのデータを処理設備Ｍ１の制御手段Ｃ１の記憶部１１Ｂに書き込む（図５のＳ６）。
【００２３】
これにより、携帯端末装置４は処理設備Ｍ１と接続したことになり、タッチパネルにそのことを表示し（図１０）、確認することで携帯端末装置４はタッチパネルに登録されている処理設備Ｍ１の操作画面を表示し、さらに、処理設備Ｍ１に対して稼動状況の情報を要求する。
そして、携帯端末装置４は、処理設備Ｍ１から稼動状況の情報を受信するとタッチパネル１６に表示する（図５のＳ７、図１１参照）。
このため、タッチパネル１６に操作画面が表示されてから僅かに遅れて処理設備Ｍ１の稼動状況（図１１中の『品種マヨネーズ５００ｇ』や本機状態『停止中』）が表示されるようになっている。また、操作者Ａの操作能力（図４のランク１〜３）に応じて、タッチパネル１６における操作できない入力部（品種設定や運転補助）は薄く表示されるようになっている。この場合、操作できない入力部に付いてはタッチパネル１６に表示しないようにしても良い。
なお、携帯端末装置４は接続している処理設備Ｍ１から所定時間間隔で携帯端末装置と接続中か否かを示すデータと接続している操作者のランクを示すデータを取得し、変化がないかを監視するようになっている。
【００２４】
この図１１に示すように携帯端末装置４のタッチパネル１６に処理設備Ｍ１の稼動状況が表示されると、この後、操作者Ａは携帯端末装置４を使用して処理設備１に対して所要の運転を行う（図１１、図１２参照）。
なお、操作者Ａが携帯端末装置４を所持したまま処理設備Ｍ１の操作範囲Ａ１の外部に出ると、携帯端末装置４のタッチパネル１６には図９に示した画面が表示される。そのため、操作範囲Ａ１の外部に携帯端末装置４が位置すると、該携帯端末装置４によって処理設備Ｍ１の運転はできないので、再度操作したい場合は操作者Ａは再度操作範囲Ａ１内に入ってから処理設備Ｍ１を操作する。
ところで、図２に示すように操作者Ｂが携帯端末装置５により処理設備Ｍ２を操作中において、処理設備Ｍ２の操作範囲Ａ２内に他の携帯端末装置４を所持する操作者Ｃが入る場合がある。この場合には、新たに操作範囲Ａ２内に入ってきた操作者Ｃが所持する携帯端末装置４は、ＲＦＩＤ８２から設備情報を読み込み設備認識を行う。その後、処理設備Ｍ２より当該処理設備Ｍ２が他の携帯端末装置と接続中である「有」と、処理設備Ｍ２と接続している操作者Ｂの操作能力のデータを取得する。
【００２５】
ここで、新たに操作範囲Ａ２内に入ってきた携帯端末装置４は、操作範囲Ａ２内に先に位置していた携帯端末装置５を所持する操作者Ｂと該携帯端末装置４を所持する操作者Ｃの操作能力を比較する（図５のＳ８）。
新たに割り込んだ操作者Ｃが先に操作範囲Ａ２内にいた操作者Ｂよりランクが優位な場合には、操作者Ｃの携帯端末装置５のタッチパネル１６に強制割り込みをするか否かの画面が表示される（図５のＳ９、図１３）。
ここで、携帯端末装置４によって処理設備Ｍ２の操作に割り込む場合には（図５のＳ１０）、上述したＳ６に移行して携帯端末装置４は処理設備Ｍ２の記憶部１１Ｂに記憶している操作者の操作能力のデータを書き換える（図５のＳ６）。そして、携帯端末装置４のタッチパネル１６には操作者の操作能力に応じた処理設備Ｍ２に関する操作画面が表示され、その後、携帯端末装置４のみによって処理設備Ｍ２の操作が行われる（図５のＳ６、Ｓ７、図１１参照）。
【００２６】
他方、携帯端末装置４によって処理設備Ｍ２の操作に割り込まない場合には、携帯端末装置４のタッチパネル１６に監視画面を表示する（図５のＳ１１、Ｓ１２、図１４参照）。監視画面は、処理設備を操作するための操作入力部はすべて薄い色で表示される。
この後、携帯端末装置４による監視画面の表示が不要となったら初期認証画面図６を表示する（図５のＳ１３）。
また、図５のＳ８において、後から処理設備Ｍ２の操作範囲Ａ２内に進入した携帯端末装置４の操作者が先に処理設備Ｍ２を操作中の操作者よりも操作能力が下位である場合には、携帯端末装置４のタッチパネル１６に監視画面を表示し（図５のＳ１１、Ｓ１２）、携帯端末装置４による監視画面の表示が不要となったら初期認証画面図６を表示する（図５のＳ１３）。
なお、図５のＳ８において、同位である場合には、下位の場合と同様に監視画面となるようにし、先に操作をしているほうを優先するようにしているが、割り込みするか否かを選択できるようにしても良い。
【００２７】
次に、最初に携帯端末装置４によって処理設備Ｍ１の接続中に操作範囲Ａ１内に第２の携帯端末装置５を所持した操作能力がランク３の操作者Ｃが進入して割り込みされる場合がある。この場合において、携帯端末装置４は所定時間間隔で処理設備Ｍ１から操作者の操作能力のデータを取得しているため（図５のＳ１４）、すぐに処理設備Ｍ１の記憶部１１Ｂのデータが変化したことを検出する。すると、タッチパネル１６には割り込みされたことを示す表示がされる（図５のＳ１６、図１５参照）。
そして、携帯端末装置４のタッチパネル１６には運転操作ができない監視画面が表示され、その後、必要ない場合には携帯端末装置４による初期認証画面図６を表示する（図５のＳ１２，１３）。
なお、操作能力のデータに変化がない間は、継続して携帯端末装置４の操作ができるようになっている（図５のＳ１７）。
携帯端末装置４による処理設備Ｍ１の操作を終了する際には図１１の運転画面の操作終了を示す入力部を押すことにより、携帯端末装置４は処理設備Ｍ１の記憶部１１Ｂのデータを携帯端末装置４と接続していない「無」に書き換えるとともに、操作者の操作能力のデータをクリアする（図５のＳ１８、図１６参照）。
【００２８】
上述したように、本実施例の設備操作システム１においては、図４に例示したように、容器処理ライン２に配置する複数の操作者を操作能力によって予めランク付けして、各操作者は上記ランクに応じて各処理設備Ｍ１〜Ｍｎの操作を行う。つまり、操作能力の未熟な操作者は処理設備Ｍ１〜Ｍｎに対して高度な操作能力を必要とする操作はできないようになっている。そのため、本実施例においては、設備操作システム１により容器処理ライン２を安心して稼動させることができ、ひいては容器処理ライン２の作業効率を向上させることができる。なお、ランク付けについては、操作者の技量をもとに設定してもいいが、操作者の職制や職責をもとに設定するようにしてもよい。
また、ＲＦＩＤ８１〜８ｎの通信範囲が操作範囲Ａ１〜Ａｎとなっており、それらの操作範囲Ａ１〜Ａｎ内に携帯端末装置４，５が位置すると、自動的に携帯端末装置４，５はＲＦＩＤ８１〜８ｎの設備情報を読み取るようになっている。そして、最初にＲＦＩＤ８１〜８ｎの設備情報を読み取った１台の携帯端末装置４（５）によって処理設備Ｍ１の操作を行うようになっている。
また、携帯端末装置４によって処理設備Ｍ１の操作を行っている際に、第２の携帯端末装置５がＲＦＩＤ８１の操作範囲Ａ１内に入り込んだ場合においては、２台の携帯端末装置４，５の操作者の操作能力が同じ場合には、先の携帯端末装置４による処理設備Ｍ１の運転を優先して、後から操作範囲Ａ１内に入り込んだ携帯端末装置５では監視だけが可能になるようになっている。
さらに、本実施例においては、隣り合う処理設備におけるＲＦＩＤ８１〜８ｎによる操作範囲Ａ１〜Ａｎは離隔しているので、２人の操作者によって同時に１台の処理設備の運転を行うことができない。したがって、本実施例においては、容器処理ライン２内に複数の操作者を配置しても、制御手段Ｃ１〜Ｃｎにより各処理設備Ｍ１〜Ｍｎの運転を行う際に各操作者の安全を確保して、各処理設備Ｍ１〜Ｍｎを円滑に操作することができる。
【００２９】
なお、上記実施例における管理システム６は省略し、操作者の登録とランク付けを各携帯端末装置で行うようにしても良い。また、処理設備Ｍ１〜Ｍｎの制御手段Ｃ１〜Ｃｎと管理システム６とは無線ＬＡＮの代わりに有線ＬＡＮを用いても良い。
また、上記携帯端末装置４、５を介して処理設備Ｍ１〜Ｍｎの操作が所定時間行われない場合には、該携帯端末装置４、５による処理設備Ｍ１〜Ｍｎの操作ができないように設定しても良い。この場合は、初期認証画面が表示されるようにすれば良い。
【図面の簡単な説明】
【００３０】
【図１】本発明の一実施例を示す概略の構成図。
【図２】図１の要部を示す拡大図。
【図３】図１に示した処理設備Ｍ１と携帯端末装置４の構成を示す図。
【図４】図１に示した実施例において、処理設備Ｍ１〜Ｍ１０と操作者の操作能力のランクとの関係を例示した図。
【図５】図１に示した本実施例の携帯端末装置４におけるフロー図。
【図６】図５の工程Ｓ１における携帯端末装置４の表示画面を示す図。
【図７】図５の工程Ｓ１における携帯端末装置４の表示画面を示す図。
【図８】図５の工程Ｓ２における携帯端末装置４の表示画面を示す図。
【図９】図５の工程Ｓ３における携帯端末装置４の表示画面を示す図。
【図１０】図５の工程Ｓ３における携帯端末装置４の表示画面を示す図。
【図１１】図５の工程Ｓ７における携帯端末装置４の表示画面を示す図。
【図１２】図５の工程Ｓ７における携帯端末装置４の表示画面を示す図。
【図１３】図５の工程Ｓ９における携帯端末装置４の表示画面を示す図。
【図１４】図５の工程Ｓ１１における携帯端末装置４の表示画面を示す図。
【図１５】図５の工程Ｓ１２における携帯端末装置５の表示画面を示す図。
【図１６】図５の工程Ｓ１８における携帯端末装置５の表示画面を示す図。
【符号の説明】
【００３１】
１…設備操作システム                    ４、５…携帯端末装置
７…無線ＬＡＮ                          ８１〜８ｎ…ＲＦＩＤ
Ｍ１〜Ｍｎ…処理設備
Ａ１〜Ａｎ…操作範囲
【図１】
2007156645.tif 000003
【図２】
2007156645.tif 000004
【図３】
2007156645.tif 000005
【図４】
2007156645.tif 000006
【図５】
2007156645.tif 000007
【図６】
2007156645.tif 000008
【図７】
2007156645.tif 000009
【図８】
2007156645.tif 000010
【図９】
2007156645.tif 000011
【図１０】
2007156645.tif 000012
【図１１】
2007156645.tif 000013
【図１２】
2007156645.tif 000014
【図１３】
2007156645.tif 000015
【図１４】
2007156645.tif 000016
【図１５】
2007156645.tif 000017
【図１６】
2007156645.tif 000018